(57)【要約】装着者の腰のまわりに一緒に固定されることを意図され、かつ物品の後部分（６）に取付けられた一対のベルト部分（９，１０）を含む、おむつ及び失禁ガードの如き吸収物品であって、一方のベルト部分（９，１０）が対向するベルト部分（９，１０）に対して取付けられることを意図される第一固定手段（１１）を持ち、物品がパンツ状形状をとってベルト部分（９，１０）がパンツの腰部分の一部を形成するような方法で前記前部分（５）がベルト部分（９，１０）に取付けられることを意図される第二固定手段（８）を有する吸収物品。各ベルト部分（９，１０）は各ベルト部分（９，１０）の取付部（１３）から物品の後部分（６）までの適当な距離上に置かれる少なくとも一つの印（１２）を与えられ、それによって一方のベルト（９）上の各印（１２）が対向するベルト部分（１０）上にその対応する印を有する。【選択図】図１
2004516072.tif 000002
【特許請求の範囲】
【請求項１】
液体透過性上部シート（３）、液体不透過性下部シート（２）及びそれらの間に封入された吸収体（４）を含む、おむつ及び失禁ガードの如き吸収物品であって、前記物品が前部分（５）、後部分（６）及びそれらの間の股部分（７）を有し、さらに装着者の腰のまわりに一緒に固定されることを意図され、かつ物品の後部分（６）に取付けられた一対のベルト部分（９，１０）を与えられており、一方のベルト部分（１０）が対向するベルト部分（９）に対して取付けられることを意図される第一固定手段（１１）を持ち、物品がパンツ状形状をとってベルト部分（９，１０）がパンツの腰部分の一部を形成するような方法で前記前部分（５）がベルト部分（９，１０）に取付けられることを意図される第二固定手段（８）を有する吸収物品において、各ベルト部分（９，１０）が各ベルト部分（９，１０）の取付部（１３）から物品の後部分（６）までの適当な距離上に置かれる少なくとも一つの印（１２）を与えられ、それによって一方のベルト（９）上の各印（１２）が対向するベルト部分（１０）上にその対応する印を有することを特徴とする吸収物品。
【請求項２】
前記印（１２）が装飾デザインであることを特徴とする請求項１記載の吸収物品。
【請求項３】
前記印（１２）が記号であることを特徴とする請求項１記載の吸収物品。
【請求項４】
前記印（１２）が着色された印であることを特徴とする請求項１記載の吸収物品。
【発明の詳細な説明】
【０００１】
技術分野
本発明は液体透過性上部シート、液体不透過性下部シート及びそれらの間に封入された吸収体を含む、おむつ及び失禁ガードの如き吸収物品であって、前記物品が前部分、後部分及びそれらの間の股部分を有し、さらに装着者の腰のまわりに一緒に固定されることを意図され、かつ物品の後部分に取付けられた一対のベルト部分を与えられており、一方のベルト部分が他のベルト部分に対して取付けられることを意図される第一固定手段を与えられており、物品がパンツ状形状をとってベルト部分がパンツの腰部分の一部を形成するような方法で前記前部分がベルト部分に取付けられることを意図される取付手段を与えられている吸収物品に関する。
【０００２】
発明の背景
おむつ及び失禁ガードは使用者の体に対して吸収体を適所に保持する衣料部分及び使用者が動いているときでも衣料部分を適所に保持する取付手段を通常有する。一般的なタイプの取付手段はタッチアンドクローズタイプのフックアンドループファスナー又は接着テープであり、それは吸収物品の前及び後部分を互いに直接取付ける。さらにベルトによって物品の前及び後部分を取付け、適合性を調整する可能性が改良されることが例えばＥＰ−Ａ  ０２８７３８８，ＥＰ−Ａ  ０４０９３０７，ＥＰ−Ａ  ０５２８２８２，ＥＰ−Ａ  ０６０５０１２及びＦＲ−Ａ  ２５８６５５８を通して知られている。ベルトはまた、特に立っている人のおむつ及び失禁ガードのそれぞれの変化の単純化に導く。
【０００３】
子供のための従来のおむつは一般に子供を横たわらせた状態で適用される。取付手段は通常、後部分上に配置され、前部分に取付けられる。この種の適用はしばしば別の人から助けを要する。しかしながら、大人の使用者に対しては失禁ガードを自ら適用できることが望ましい。一般的なタイプのベルトおむつ上にはベルト部分がまず腰のまわりに取付けられる。失禁ガードがこのようにして腰のまわりに固定されるとき、使用者は脚の間に失禁ガードの残りを到達するように努め、次いで失禁ガードの股部分は前部分及び／又はベルト部分上に配置されるフックアンドループファスナー又はテープタブを使用してベルト部分の外側におむつの前部分を固定することによって正しい位置に適用される。このデザインは看護者が立っている人におむつを適用したり又は使用者が立っている状態で自らおむつを適用することを可能にする。
【０００４】
使用者又は看護人に対する一つの問題は物品の吸収おむつ部分が使用者の背中の中心に置かれるかどうかを知ることである。ベルトが適用されるとき、即ちベルト部分が装着者の腹上で互いに接続されるとき、物品のおむつ部分が使用者上にどのように適合されるかを知ることは難しい。なぜならば人は物品がどのように背中に適合するかを視覚的に見ることができないからである。前部分がベルト部分に対して取付けられるとき、物品が装着者のまわりで間違って位置される場合、与えることを意図されるガードを与えることができず、装着者に不快感を生じることが容易に起こりうる。
【０００５】
それゆえ、おむつを使用する使用者が自らベルトを適応でき、しかも快適な装着感を有する、ベルトを与えられた吸収物品に対する必要性がある。
【０００６】
発明の概要
本発明の目的は異なるサイズを有する人に適合し、かつ装着を快適にできるベルト付きおむつ又は失禁ガードを提供することである。この目的は各ベルト部分が各ベルト部分の取付部から物品の後部分までの適当な距離上に置かれる少なくとも一つの印を与えられ、それによって一方のベルト上の各印が対向するベルト部分上にその対応する印を有することで解決される。
【０００７】
図面の簡単な記述
本発明は添付図面に示された例を参照して以下においてより詳細に記載されるだろう。
【０００８】
図１は本発明によるおむつ又は失禁ガードの透視図を概略的に示す。
【０００９】
発明の詳細な記述
図面は液体不透過性下部シート２、液体透過性上部シート３及びそれらの間に封入された吸収体４を含む、おむつ又は失禁ガード１の一例を示す。液体透過性上部シート３は不織材料、例えば連続フィラメントのスパンボンド材料、メルトブロー材料、結合されカードされた繊維ウェブ又は有孔プラスチックフィルムからなることができる。液体不透過性下部シート２はプラスチックフィルム、液体不透過性材料又は液体透過に抵抗する疎水性不織材料で被覆された不織材料からなってもよい。液体不透過性下部シート２は蒸気透過性材料であってもよい。
【００１０】
上部シート３及び下部シート２材料は吸収体４より平面において幾分大きい範囲を有し、その縁の外側に延びる。層２及び３は例えば接着又は熱又は超音波による溶接によってその突出する部分内で互いに接続される。
【００１１】
吸収体４はいかなる従来の種類からなることもできる。一般的な吸収材料の例はセルロース毛羽パルプ、ティッシュ層、高吸収ポリマー（いわゆる超吸収材）、吸収性フォーム材料、吸収性不織材料などである。吸収体においてセルロース毛羽パルプを超吸収材と混合することは一般的である。また、液体取得能力、液体分布能力及び貯蔵能力に関して異なる特性を有する異なる材料の層を含む吸収体を持つことは一般的である。それは当業者に良く知られており、それゆえ詳細に述べる必要はない。例えばベビー用おむつ及び失禁ガードに対して一般的である薄い吸収体はセルロース毛羽パルプ及び超吸収材の圧縮された混合又は層状構造を含むことが多い。
【００１２】
おむつ／失禁ガードは吸収性パンツのように装着者の胴の下部を包囲することを意図される。それは使用中、使用者の体の前部分上に装着されることを意図される前部分５、使用中、使用者の体の後部分上に装着されることを意図される後部分６、及び脚の間で使用者の股部分に装着されることを意図されかつ前及び後部分の間に位置される股部分７を含む。前部分５は一対のテープタブ８又はフックアンドループファスナーの如き別の種類の固定手段を有する。
【００１３】
一対のベルト部分９，１０は一端をおむつの後部分６に取付けられる（例えば接着又は超音波溶接される）。ベルト部分９，１０はそれらの対向端で、対向ベルト部分の外側に対して取付けられることを意図される第一固定手段１１（例えばフックアンドループタイプファスナー又はテープタブ）によって一緒に固定されることを意図される。例えばフックアンドループファスナー又はテープタブの如き前部分５の第二固定手段８はおむつ／失禁ガードを一緒に固定して所望のパンツ状形状にするためにベルト部分９，１０の外側に対して取付けられることを意図される。
【００１４】
ベルト部分９，１０の幅は３〜２０ｃｍ、好ましくは７〜１５ｃｍであるべきである。ベルト部分９，１０は一例によれば積層体を含み、そこではキャリア材料はベルトの外側を形成し、柔らかい不織布は使用者の皮膚と直接接触することを意図されるベルトの内側を形成する。好適な不織材料は例えばポリプロピレン又はポリエチレン繊維のスパンボンド材料であることができる。複合繊維を使用してもよい。別の好適な不織材料は例えばポリプロピレン、ポリエステル又は複合繊維のカードされ熱結合された材料であることができる。プラスチックフィルム又は別の好適な材料、例えば不織布をキャリア材料として使用してもよい。キャリア材料は取付手段８及び１１の両方のための受入表面として機能するように適応されるべきであり、これらがテープタブの場合にはプラスチックフィルムが好適である。テープタブの代わりに他の種類の固定手段、例えばフックアンドループタイプファスナーが使用される場合には、別の種類のキャリア材料、特に不織材料が使用され、それは問題の固定手段のための受入表面として作用することができる。固定手段のための別個の受入表面はベルトの外側上に配置されることもできる。
【００１５】
ベルト部分９，１０は各々少なくとも一つの印１２を与えられている。対向ベルト部分上の印１２は各ベルト部分９，１０の取付部１３からおむつ／失禁ガードの後部分６までのある距離上でベルト部分９，１０の長手方向に対称的に置かれている。従って、一方のベルト部分９上の各印１２は各ベルト部分９，１０の取付部１３から物品の後部分６までの本質的に同じ距離上に置かれた対向ベルト部分１０上にその対応する印を有する。物品の適用時にはベルト部分９，１０はまず装着者の腰のまわりに取付けられ、異なるベルト部分１２上の前記印１２は互いに対して適合され、使用者のへそに対して水平にされる。それによって物品の中央線１４が使用者の背中の中心に位置されることが確実になる。なぜならばへその位置は使用者の前側上の中央位置を与えるからである。従って、ベルト部分９の取付部１３から患者のまわりの後部分６まで一方向に延びるベルト部分の割合は患者のまわりの他の方向に延びるベルト部分１０の割合と同じ大きさである。
【００１６】
製造上の理由のため、印１２はベルト部分の内側部分上に位置されることが好ましいが、印はベルト部分の外側又は両側上に位置されてもよい。好ましくは、使用者のサイズへのベルトの周囲の適応が実施されることができるように各ベルト部分９，１０上に二つ以上の印１２がある。前記印１２は二つ一組になって、同じ又は異なる色を持つ、ストライプ、線、ドット、記号、文字、装飾デザイン、画像などからなることができる。前記印１２は同じパターンからなることができるが、二つ一組になって異なる色を持つことができる。
【００１７】
本発明に使用される材料は特に呼吸可能なベルトを与えるために蒸気透過性材料からなってもよい。以下の実験は本発明によるベルト部分に使用されうるベルト材料の実施例である。
【００１８】
【実施例】
実施例１
空気透過性試験
ベルト部分に使用するために意図される四つの材料がＴｅｘｔｅｓｔ  ＦＸ３３０装置を使用してＥＤＡＮＡ  １４０．１−９９を使用して試験された。材料は八つの異なる圧力で試験され、空気透過性が測定された。結果は以下の表１に与えられる。
【００１９】
試験される材料は以下の通りである：
１．  Ｆ４３、ループ材料を与えるために不織材料中に配置されたポリアミドの糸を有するポリプロピレン（Ｆｒｅｕｄｅｎｂｅｒｇ）の不織キャリア材料。前記材料は４３ｇ／ｍ３の基本重量（不織布３０＋糸１３＝４３ｇ／ｍ３）を有する。
２．  Ｆ５３、ループ材料を与えるために不織材料中に配置されたポリアミドの糸を有するポリプロピレン（Ｆｅｒｕｄｅｎｂｅｒｇ）の不織キャリア材料。前記材料は５３ｇ／ｍ３の基本重量（不織布４０＋１３＝５３ｇ／ｍ３）を有する。
３．  Ｆ７３、ループ材料を与えるために不織材料中に配置されたポリアミドの糸を有するポリプロピレン（Ｆｅｒｕｄｅｎｂｅｒｇ）の不織キャリア材料。前記材料は７３ｇ／ｍ３の基本重量（不織布６０＋１３＝７３ｇ／ｍ３）を有する。
４．  ポリプロピレンの不織材料の３層を有するベルトに使用するための不織材料（ＳＣＡ）、それは３０ｇ／ｍ３の基本重量を有するカードされた不織布のベルトの外側層であることを意図される一つの層、間にある４０ｇ／ｍ３の基本重量を有するスパンボンド材料及び使用者の皮膚に対して面することを意図される２２ｇ／ｍ３の基本重量を有するカードされた不織布の層からなる。
【００２０】
以下の表１から薄い材料ほど空気透過性が大きくなることは明らかである。
【００２１】
【表１】
2004516072.tif 000003
【００２２】
実施例２
呼吸可能なベルト材料の調査
実施例１と同じ四つの材料を、方法ＡＳＴＭ  Ｅ９６−９５（３８℃及び９０％相対湿度の気候）を使用して水蒸気透過性について試験した。各材料は六回試験された。結果は以下の表２に与えられる。表から材料４が試験材料の２４時間あたりの単位面積あたりの水蒸気（グラム）で表される水蒸気についての透過性として測定される最高呼吸可能性を有することが明らかである。良好に実施しうる呼吸可能な材料は通常２０００ｇ／ｍ２／２４ｈを越える値を示す。
【００２３】
【表２】
2004516072.tif 000004
【００２４】
本発明はもちろん上述され図に示された例に限定されず、特許請求の範囲内で変更されることができる。
【図面の簡単な説明】
【図１】
本発明によるおむつ又は失禁ガードの透視図を概略的に示す。
【図１】
2004516072.tif 000005
【国際公開パンフレット】
2004516072.tif 000006
2004516072.tif 000007
2004516072.tif 000008
2004516072.tif 000009
2004516072.tif 000010
2004516072.tif 000011
2004516072.tif 000012
2004516072.tif 000013
2004516072.tif 000014
2004516072.tif 000015
2004516072.tif 000016
【国際調査報告】
2004516072.tif 000017
2004516072.tif 000018
2004516072.tif 000019